(57)【要約】【課題】  利用者の特別な操作を介することなくホームサーバ装置に録画を指示できるモバイルＡＶ装置、当該録画の指示を受け録画を行うホームサーバ装置、およびこれらから構成される遠隔録画システムを提供すること。【解決手段】  モバイルＡＶ装置２は、電波強度検知部２３が放送電波を十分な強度で確保できなくなったことを検知した場合、モバイルチューナ部２２が取得する視聴中の番組に関する情報を基に録画指示を生成し、録画指示をホームサーバ装置に送信する。ホームサーバ装置は、録画指示を受信すると、当該録画指示に従って、モバイルＡＶ装置２で視聴中であった放送を録画する。【選択図】  図２
2006074385.tif 000002
【特許請求の範囲】
【請求項１】
テレビ番組を出力するモバイルＡＶ装置とテレビ番組を録画するホームサーバ装置とからなる遠隔録画システムであって、
前記モバイルＡＶ装置は、
出力中の前記テレビ番組の放送電波の強度を検知する電波強度検知部と、
前記電波強度検知部が検知した放送電波の強度が所定の値を下回ったとき、出力中の番組を特定するための番組特定情報を含む録画指示を前記ホームサーバ装置に送信するモバイル制御部と、
前記ホームサーバ装置は、
前記録画指示に含まれる前記番組特定情報によって特定される番組を録画する録画部とを備える、遠隔録画システム。
【請求項２】
前記番組特定情報は、番組のタイトルを含み、
前記録画部は、前記番組特定情報と、番組のタイトルおよび番組終了時刻を含んでいる番組関連情報とに基づき当該番組の終了時刻を特定し、当該時刻がくれば録画を停止することを特徴とする、請求項２記載の遠隔録画システム。
【請求項３】
前記モバイルＡＶ装置は、
番組を記録するモバイル録画部と、
前記モバイル録画部による録画の続行が可能か否かを判断する録画状況検知部とを更に備え、
前記モバイル制御部は、録画続行はできないと前記録画状況検知部が判断したときに前記録画指示を送信することを特徴とする、請求項１記載の遠隔録画システム。
【請求項４】
前記モバイルＡＶ装置および前記ホームサーバ装置はセキュアなネットワークを用いて通信を行い、
前記モバイルＡＶ装置は、セキュアなコンテンツを出力することに先立って、ホームサーバ装置から当該コンテンツを視聴するための認証鍵を取得し、
前記モバイル制御部は、前記ホームサーバ装置から取得した前記認証鍵を前記録画指示と共に前記ホームサーバ装置に送信し、
前記録画部は、前記録画指示に含まれる前記番組特定情報によって特定される番組を、前記認証鍵を用いて録画することを特徴とする、請求項１記載の遠隔録画システム。
【請求項５】
テレビ番組を出力し、ホームサーバ装置と通信するモバイルＡＶ装置であって、
前記出力中のテレビ番組の放送電波の強度を検知する電波強度検知部と、
前記電波強度検知部が検知した放送電波の強度が所定の値を下回ったとき、視聴中の番組を特定するための番組特定情報を含む録画指示を前記ホームサーバ装置に送信するモバイル制御部とを備える、モバイルＡＶ装置。
【請求項６】
前記出力中のテレビ番組を記録するモバイル録画部と、前記モバイル録画部による録画の続行が可能か否かを判断する録画状況検知部とを更に備え、
前記モバイル制御部は、前記録画状況検知部が録画続行はできないと判断したときに前記録画指示を送信することを特徴とする、請求項５記載のモバイルＡＶ装置。
【請求項７】
前記モバイルＡＶ装置はセキュアなネットワークを用いて前記ホームサーバ装置と通信し、
前記モバイルＡＶ装置は、セキュアなコンテンツを出力することに先立って、前記ホームサーバ装置から当該コンテンツを視聴するための認証鍵を取得し、
前記モバイル制御部は、前記録画指示と共に前記ホームサーバ装置から取得した前記認証鍵を前記ホームサーバ装置に送信することを特徴とする、請求項５記載のモバイルＡＶ装置。
【発明の詳細な説明】
【技術分野】
【０００１】
本発明は、遠隔録画システムに関し、より特定的には、モバイルＡＶ装置とホームサーバ装置とからなる遠隔録画システムに関する。
【背景技術】
【０００２】
近年、ＴＶ放送を視聴できるモバイルＡＶ装置（以下、携帯テレビと称す）が普及してきている。携帯テレビを用いれば、利用者は、外出先であっても好きなときにその場で番組を視聴することができる。例えば、利用者が視聴したい番組の放送時間帯が利用者の外出時と重なっている場合、外出前に自宅のビデオに録画予約をしなくても、携帯テレビを携行すれば、視聴したい番組を外出先で直接視聴することができる。
【０００３】
その一方で、外出先から携帯電話を用いて録画予約を行うことが可能なホームサーバ装置も開示されている（例えば、特許文献１参照）。これにより、利用者は楽しみにしていた番組の録画の予約を忘れて外出しても、携帯電話を操作することによって、自宅のホームサーバ装置に番組の録画の予約設定を行うことができる。
【特許文献１】特開２００１−３５９１７６号公報
【発明の開示】
【発明が解決しようとする課題】
【０００４】
携帯テレビでは、携帯テレビが受信する電波の状態が移動中に悪化することも多い。その結果、番組の視聴が途中で継続できなくなるという問題があった。この問題に対し、上記特許文献１に開示されたホームサーバ装置を利用して、携帯電話を操作することで視聴中の番組の続きを録画させるという方法が考えられる。しかし、この方法では、携帯テレビではもはや視聴が継続できないこと（すなわち、電波状況が悪化していること等）を利用者が自分で判断し、その上で携帯電話を取り出して手動でホームサーバ装置への録画を設定しなければならなかった。
【０００５】
それ故に、本発明の目的は、利用者に特別な録画設定操作を行わせることなく録画指示を出すモバイルＡＶ装置、当該録画指示を受け録画を行うホームサーバ装置、およびこれらから構成される遠隔録画システムを提供することである。
【課題を解決するための手段】
【０００６】
上記目的を達成するために、本発明は以下のような構成を採用した。
【０００７】
第１の発明は、テレビ番組を出力するモバイルＡＶ装置とテレビ番組を録画するホームサーバ装置とからなる遠隔録画システムであって、モバイルＡＶ装置は、出力中のテレビ番組の放送電波の強度を検知する電波強度検知部と、電波強度検知部が検知した放送電波の強度が所定の値を下回ったとき、出力中の番組を特定するための番組特定情報を含む録画指示をホームサーバ装置に送信するモバイル制御部と、ホームサーバ装置は、録画指示に含まれる番組特定情報によって特定される番組を録画する録画部とを備える、遠隔録画システムである。
【０００８】
第２の発明は、番組特定情報は、番組のタイトルを含み、録画部は、番組特定情報と、番組のタイトルおよび番組終了時刻を含んでいる番組関連情報とに基づき当該番組の終了時刻を特定し、当該時刻がくれば録画を停止する。
【０００９】
第３の発明は、モバイルＡＶ装置は、番組を記録するモバイル録画部と、モバイル録画部による録画の続行が可能か否かを判断する録画状況検知部とを更に備え、モバイル制御部は、録画続行はできないと録画状況検知部が判断したときに録画指示を送信する。
【００１０】
第４の発明は、モバイルＡＶ装置およびホームサーバ装置はセキュアなネットワークを用いて通信を行い、モバイルＡＶ装置は、セキュアなコンテンツを出力することに先立って、ホームサーバ装置から当該コンテンツを視聴するための認証鍵を取得し、モバイル制御部は、ホームサーバ装置から取得した認証鍵を録画指示と共にホームサーバ装置に送信し、録画部は、録画指示に含まれる番組特定情報によって特定される番組を、認証鍵を用いて録画する。
【００１１】
第５の発明は、テレビ番組を出力し、ホームサーバ装置と通信するモバイルＡＶ装置であって、出力中のテレビ番組の放送電波の強度を検知する電波強度検知部と、電波強度検知部が検知した放送電波の強度が所定の値を下回ったとき、視聴中の番組を特定するための番組特定情報を含む録画指示をホームサーバ装置に送信するモバイル制御部とを備える、モバイルＡＶ装置である。
【００１２】
第６の発明は、出力中のテレビ番組を記録するモバイル録画部と、モバイル録画部による録画の続行が可能か否かを判断する録画状況検知部とを更に備え、モバイル制御部は、録画状況検知部が録画続行はできないと判断したときに録画指示を送信する。
【００１３】
第７の発明は、モバイルＡＶ装置はセキュアなネットワークを用いてホームサーバ装置と通信し、モバイルＡＶ装置は、セキュアなコンテンツを出力することに先立って、ホームサーバ装置から当該コンテンツを視聴するための認証鍵を取得し、モバイル制御部は、録画指示と共にホームサーバ装置から取得した認証鍵をホームサーバ装置に送信する。
【発明の効果】
【００１４】
上記第１の発明によれば、モバイルＡＶ装置の受信電波の強度の悪化に応じて、利用者が視聴中の番組の録画指示をホームサーバ装置に送信することにより、利用者による特別な録画指示操作を介することなくホームサーバ装置で録画することができる。
【００１５】
上記第２の発明によれば、モバイルＡＶ装置を携行している利用者がホームサーバ装置とは異なる放送受信エリアにいる場合で、利用者が現在視聴中の番組とホームサーバ装置で受信する当該番組とで放送時間帯やチャンネルが異なっているときでも、番組のタイトルを用いて放送時間帯やチャンネルを特定することにより、利用者が視聴中であった番組を正確にホームサーバ装置で録画することができる。
【００１６】
上記第３の発明によれば、利用者がモバイルＡＶ装置で番組を録画中に、例えば録画のための記録媒体の容量不足や、当該記録媒体のハード的な障害等により当該番組の録画が続行できなくなりそうな場合でも、録画ができなくなることを利用者に意識させることなくホームサーバ装置で当該番組の続きを録画することができる。これにより、録画が完全に途切れてからホームサーバ装置に録画の指示を出す場合に比べ、当該指示を出している間のタイムラグで録画されないことによる番組の一部分の見逃しを防ぐことが可能となる。
【００１７】
上記第４の発明によれば、セキュアなネットワークを経由して、セキュアなコンテンツを視聴するための認証鍵を送受信することにより、機器ごとに認証鍵を準備することなくモバイルＡＶ装置およびホームサーバ装置の双方でセキュアなコンテンツの視聴および録画が可能となる。
【００１８】
上記第５〜７の発明によれば、上述した第１〜４の発明と同様の効果が得られる。
【発明を実施するための最良の形態】
【００１９】
以下、本発明の実施の形態について、図面を参照して説明する。
【００２０】
（第１の実施形態）
まず、図１から図６を参照して、本発明の第１の実施形態に係る遠隔録画システムについて説明する。図１は、本発明の第１の実施形態に係る遠隔録画システムの構成図である。本発明における遠隔録画システムは、インターネット等のネットワーク１を介して、モバイルＡＶ装置２およびホームサーバ装置３が接続されることで構成される。本発明におけるモバイルＡＶ装置２は、例えば、ＴＶ視聴が可能な携帯電話等で実現される。
【００２１】
図２は、本発明の第１の実施形態に係るモバイルＡＶ装置の一例を示すブロック図である。モバイルＡＶ装置２は、モバイル通信部２１、モバイルチューナ部２２、電波強度検知部２３、モバイル制御部２４、アドレス記憶部２５、および表示部２６から構成される。モバイル通信部２１は、ネットワーク１に接続し、当該ネットワーク１を経由してホームサーバ装置３と通信を行う。モバイルチューナ部２２は、放送局から放送電波を受信し、放送データを取得する。放送データには、番組データと、当該番組に関する情報である番組関連情報とが含まれている。番組データとは、番組の画像や音声や文字のデータ（すなわち番組内容そのもの）である。また、モバイルチューナ部２２は、取得した放送データのうち、番組データを表示部２６に出力する。電波強度検知部２３は、放送電波の強度を検知し、放送電波が十分な強度で確保できているか否かを判断する。また、電波強度検知部２３は、放送電波の強度が不十分な場合、その旨をモバイル制御部２４へ通知する。モバイル制御部２４は、モバイルチューナ部２２が取得した上記番組情報に基づいてホームサーバ装置３に録画を指示するための録画指示を作成する。また、モバイル制御部２４は、モバイル通信部２１を通してホームサーバ装置３へ当該録画指示を出力する。アドレス記憶部２５は、ホームサーバ装置３のＩＰアドレス等のアドレス情報を記憶する。また、アドレス記憶部２５は、モバイル制御部２４にアドレス情報を出力する。表示部２６は、モバイルチューナ部２２が取得した番組データを出力するもので、画面やスピーカ等がこれに相当する。
【００２２】
図３は、本発明の第１の実施形態に係るホームサーバ装置３の一例を示すブロック図である。ホームサーバ装置３は、ホームサーバ通信部３１、ホームサーバチューナ部３２、ホームサーバ制御部３３、録画部３４、および記録部３５から構成される。ホームサーバ通信部３１は、ネットワーク１を経由してモバイルＡＶ装置２と通信を行い、上記録画指示を受信する。ホームサーバチューナ部３２は、放送局から放送電波を受信し、番組データを取得する。また、ホームサーバチューナ部３２は、取得した番組データを録画部３４へ出力する。ホームサーバ制御部３３は、モバイルＡＶ装置２から送られてきた上記録画指示を解析し、録画部３４が行う録画処理の設定を行う。録画部３４は、ホームサーバチューナ部３２が取得した番組データを記録部３５に記録する。記録部３５は、番組データを記録するための媒体であり、ハードディスク等が相当する。
【００２３】
以下、図４を用いて、本発明の第１の実施形態に係る遠隔録画システムにおける遠隔録画処理の詳細動作を説明する。ここでは、説明を具体的にするために、地上波放送のＴＶ番組を視聴でき、インターネットにも接続できるＴＶ付き携帯電話をモバイルＡＶ装置２の一例とし、インターネットをネットワーク１の一例として以下説明する。また、ホームサーバ装置３は、インターネットに常時接続されているものとする。また、以下の説明においては、モバイルＡＶ装置２は、番組が視聴されている状態であるものとして説明する。
【００２４】
視聴中の状態にあるモバイルＡＶ装置２においては、モバイルチューナ部２２は、地上波放送の放送電波を受信している。そして、モバイルチューナ部２２は、利用者がモバイルＡＶ装置２の操作部（図示せず）から指定したチャンネルの放送を復調し、番組データを表示部２６に出力している。同時に、モバイルチューナ部２２は、当該出力している番組の番組関連情報を取得している。
【００２５】
電波強度検知部２３は、モバイルチューナ部２２が受信している放送電波の強度を一定時間間隔で検知する。そして、電波強度検知部２３は、放送電波を十分な強度で確保できているか否かを判断する。判断手法としては、例えば、受信信号電力と雑音電力の比（Ｃ／Ｎ比）とが所定の閾値よりも低いか否か、あるいは、復調信号の符号化の誤り率が所定値以上か否か、等の判断手法が考えられる。
【００２６】
上記の判断の結果、放送電波の強度が十分であれば、電波強度検知部２３は何も行わずに次の検知時間まで待機する。一方、上記の判断の結果、放送電波の強度が不十分である場合、電波強度検知部２３は、その旨をモバイル制御部２４へ通知する。図４は、放送電波の強度が不十分である場合に、第１の実施形態にかかるモバイルＡＶ装置２およびホームサーバ装置３で行われる遠隔録画処理を示すフローチャートである。放送電波の強度が不十分である旨の通知を受けたモバイル制御部２４は、モバイルチューナ部２２が取得している番組関連情報から番組特定情報を抽出する。番組特定情報とは、例えば、番組のタイトルやチャンネルや放送開始時刻等の、視聴中の番組を特定するための情報である。ここでは、番組特定情報として、番組のタイトルを番組関連情報から抽出するものとする（ステップＳ０１）。そして、モバイル制御部２４は、番組のタイトルと当該番組をホームサーバ装置３に録画させる旨の指示とを含む録画指示を作成する（ステップＳ０２）。その後、モバイル制御部２４は、当該録画指示の送信先となるホームサーバ装置３のＩＰアドレスをアドレス記憶部２５より取得する（ステップＳ０３）。ここでは、当該ＩＰアドレスについては、事前に利用者によってアドレス記憶部２５に設定されているものとする。なお、本ＩＰアドレスの設定については、利用者による事前入力の他、インターネット上の所定のサーバから取得して設定しておいてもよい。
【００２７】
ステップＳ０３の処理の後、モバイル制御部２４は、上記録画指示および送信先となるホームサーバ装置３のＩＰアドレスをモバイル通信部２１に出力する。録画指示を受けたモバイル通信部２１は、インターネットに接続し、モバイル制御部２４から受け取ったＩＰアドレス宛てに上記録画指示を送信する（ステップＳ０４）。当該送信が終われば、モバイル通信部２１は、インターネット接続を切断する。
【００２８】
ホームサーバ装置３のホームサーバ通信部３１は、モバイルＡＶ装置２から送られた上記録画指示を受信する（ステップＳ０５）。そして、当該録画指示をホームサーバ制御部３３へ出力する。
【００２９】
上記ステップＳ０５の次に、ホームサーバ制御部３３は、録画設定処理を行う（ステップＳ０６）。このステップＳ０６の処理をより具体的に説明すると、まず、ホームサーバ制御部３３は、録画対象となる番組のチャンネル、およびその番組の終了時刻を特定する。当該特定の方法としては、録画指示に含まれている番組のタイトルを基に、番組関連情報を利用して録画対象となる番組のチャンネル、およびその番組の終了時刻を特定する方法が考えられる。そして、番組の終了時刻を録画終了時刻として予約設定し、録画部３４へ上記検索したチャンネル（番組）の録画を開始する旨の指示を出す。なお、番組関連情報としては、例えばＥＰＧ（Ｅｌｅｃｔｒｉｃ  Ｐｒｏｇｒａｍ  Ｇｕｉｄｅ）等が考えられる。また、番組関連情報の取得については、放送電波から取得していてもよいし、インターネットから取得してもよい。
【００３０】
録画部３４は、上記録画開始の指示を受け取ると、録画開始処理を行う（ステップＳ０７）。このステップＳ０７の処理をより具体的に説明すると、まず、ホームサーバチューナ部３２へ指定されたチャンネルの復調指示を出す。ホームサーバチューナ部３２は、当該復調指示を受け、指定チャンネルの放送データを復調して番組データを録画部３４へ出力する。録画部３４は、ホームサーバチューナ部３２から出力される番組データを記録部３５へ記録する。その後、録画終了時刻がくれば、録画部３４は、記録部３５への番組データの記録を停止する（ステップＳ０８）。以上で、第１の実施形態に係る遠隔録画処理は終了する。
【００３１】
このように、第１の実施形態では、モバイルＡＶ装置２で受信している電波の強度、すなわち受信状況を随時検知し、受信状況の悪化に応じて録画指示をホームサーバ装置３に送信する。その結果、利用者による手動の録画指示操作を行うことなくホームサーバ装置３に現在視聴中の番組の録画を行わせることができる。これにより、利用者は、受信状況の悪化により途中で視聴できなくなった番組の続きを家に帰ってからホームサーバ装置３上で視聴することができる。
【００３２】
なお、ここではホームサーバ装置３側で、録画対象番組を特定しているが、モバイルＡＶ装置２側であらかじめ録画対象番組を特定しておき、チャンネルおよび録画終了時刻を指定して、上記録画指示としてホームサーバ装置３に送信しても良い。そして、当該録画指示を受けたホームサーバ装置３は、番組の特定処理をすることなしに録画指示されているチャンネルの録画をすぐに開始してもよい。
【００３３】
なお、モバイルＡＶ装置２を携行している利用者がホームサーバ装置３とは異なる放送受信エリアにいる場合は、利用者が現在視聴中の番組と、ホームサーバ装置３で受信する当該番組とで、放送時間帯やチャンネルが異なっていることも考えられる。例えばホームサーバ装置３が大阪の自宅にあり、利用者はモバイルＡＶ装置２を携行して東京で視聴しているような場合である。このような場合、ホームサーバ装置３は次のような処理を行えばよい。まず、ホームサーバ装置３は、上述したのと同様に、上記録画指示に含まれている番組のタイトルと一致するタイトルを番組関連情報から特定すればよい。特定できれば、ホームサーバ装置３は、当該番組の放送開始日時や番組時間長に基づいて録画時間を指定した録画予約設定を行うことが考えられる。また、一部の地域でしか放送されていない番組であること等が原因で、ホームサーバ装置３で録画すべき番組が特定できない場合は、ホームサーバ装置３は、その旨をモバイルＡＶ装置２へ通知してもよい。
【００３４】
また、上述の録画指示の送信後、モバイルＡＶ装置２側の電波状況が良くなれば、ホームサーバ装置３に指示した録画を停止する旨の録画停止指示を出しても良い。この場合は、上述した録画指示の送信後、電波強度検知部２３は、放送電波を十分な強度で確保できていると判断すれば、その旨をモバイル制御部２４に通知する。そして、当該通知を受けたモバイル制御部２４は、録画停止指示を上述したのと同様に（ステップＳ０３）ホームサーバ装置３に送ればよい。そして、録画停止指示を受けたホームサーバ装置３は、録画を停止すればよい。
【００３５】
（第２の実施形態）
次に、図５を参照して、本発明の第２の実施形態に係るモバイルＡＶ装置について説明する。図５は、録画機能を有するモバイルＡＶ装置４の一例を示すブロック図である。図５において、モバイルＡＶ装置４は、第１の実施形態で図２を用いて説明したモバイルＡＶ装置２に更にモバイル録画部２７および録画状況検知部２８を加えたものに相当し、他の構成部は、第１の実施形態と同様である。従って、同一部位に同一符号を付して、詳細な説明は省略する。
【００３６】
図５において、モバイル録画部２７は、モバイルチューナ部２２が取得した番組を録画する。録画状況検知部２８は、例えば、記録部３５の容量不足あるいは記録部３５のハード的な障害に起因する書き込みエラー等を検知して、録画の続行が可能か否かを判断する。図５のような構成を有するモバイルＡＶ装置５は、上記の電波強度の検知と並行して、例えば記録部３５の容量の残りを定期的に確認等することで録画状況も検知する。そして、録画状況検知部２８は、記録部３５の容量の残りが所定値以下になった等で録画が続行できないと判断すれば、その旨をモバイル制御部２４へ通知する。当該通知を受けたモバイル制御部２４は、上述と同様に、録画指示を作成する。その後、上述したものと同様の処理（ステップＳ０３〜Ｓ０７）を行い、ホームサーバ装置３で録画を行う。これにより、記録部３５の容量不足等で番組の録画が完全に途切れる前に、ホームサーバ装置に録画の指示を出すことができる。そのため、録画が完全に途切れてからホームサーバ装置に録画の指示を出す場合に比べ、当該指示を出している間のタイムラグで録画されないことによる番組の一部分の見逃しを防ぐことが可能となる。
【００３７】
（第３の実施形態）
次に、図６を参照して、本発明の第３の実施形態に係るモバイルＡＶ装置について説明する。図６は、電池残量検知部２９を有するモバイルＡＶ装置５の一例を示すブロック図である。電池残量検知部２９は、モバイルＡＶ装置５の電池残量を検知し、録画の続行が可能か否か（すなわち、電力不足により録画が続行できなくなるかどうか）を判断する。図６において、モバイルＡＶ装置５は、第１の実施形態で図２を用いて説明したモバイルＡＶ装置２に加えて電池残量検知部２９を有するものである。従って、同一部位に同一符号を付して、詳細な説明は省略する。
【００３８】
図６のような構成を有するモバイルＡＶ装置５は、上記の電波強度検知と並行して、電池残量も検知する。電池残量の検知方法としては、例えば、モバイルＡＶ装置５の起動時間から算出することや、現在の電圧などから推測して検知する方法等が考えられる。そして、電池残量検知部２９は、電池残量が所定の量を下回ったことを検知したとき、その旨をモバイル制御部２４へ通知する。当該通知を受けたモバイル制御部２４は、上述と同様に、録画指示を作成する。その後の動作は、上述したものと同様である（ステップＳ０３〜Ｓ０７）。これにより、利用者が気付かないうちに電池残量が無くなって不意にモバイルＡＶ装置の電源が落ちるような場合でも、事前にホームサーバ装置に録画の指示を出しておくことが可能となる。そのため、視聴中だった番組の続きを家に帰ってから視聴することができる。
【００３９】
なお、上述した図５および図６のようなモバイルＡＶ装置の構成においては、電波強度検知部２３と共に録画状況検知部２８あるいは電池残量検知部２９を備えているが、これら３つの検知部を全て備えている構成であってもよい。
【００４０】
（第４の実施形態）
次に、図７から図１０を参照して、本発明の第４の実施形態について説明する。上述の第１の実施形態では、一般的な地上波テレビジョン放送などの、視聴するための条件が特に課されない番組を視聴、録画している。これに対して、第４の実施形態では、ＢＳデジタル放送やＣＳデジタル放送などの、視聴するために一定の条件が課されるセキュアなコンテンツを視聴し、上記と同様に録画指示を発行するものである。セキュアなコンテンツの視聴のためには、例えばＢ−ＣＡＳカードのような、個人や機器を識別するためのＩＣカード（以下、識別カードと称す）が用いられる。そして、この識別カードには、セキュアなコンテンツを視聴可能にするための復号鍵が含まれている。そのため、ホームサーバ装置側とモバイルＡＶ装置側でセキュアなコンテンツを視聴するためには、通常、それぞれの機器毎に識別カードが必要となる。しかし、本実施形態は、１枚の識別カードをホームサーバ装置側とモバイルＡＶ装置側の間で受け渡しすることで、双方でセキュアなコンテンツを視聴でき、そのうえで第１の実施形態と同様の録画の設定を行うものである。
【００４１】
図７は、本発明の第４の実施形態に係るモバイルＡＶ装置６の一例を示すブロック図である。また、図８は、本発明の第４の実施形態に係るホームサーバ装置７の一例を示すブロック図である。図７において、モバイルＡＶ装置６は、第１の実施形態で図５を用いて説明したモバイルＡＶ装置２に、モバイル認証部４１を加えたものに相当し、他の構成部は、第１の実施形態と同様である。また、図８において、ホームサーバ装置７は、第１の実施形態で図３を用いて説明したホームサーバ装置３に、識別カード４２とホームサーバ認証部４３を加えたものに相当し、他の構成部は第１の実施形態と同様である。従って、同一部位に同一符号を付して、詳細な説明は省略する。
【００４２】
図７において、モバイル認証部４１は、ホームサーバ装置７との間でやりとりされる復号鍵および認証パスワードを記憶する。認証パスワードとは、モバイルＡＶ装置６とホームサーバ装置７との間で、ＳＳＬ（Ｓｅｃｕｒｅ  Ｓｏｃｋｅｔｓ  Ｌａｙｅｒ）暗号化通信等のセキュアな通信を確立するために用いるものである。また、モバイル認証部４１は、認証パスワードを用いてホームサーバ装置７との間にセキュアな通信を確立する処理を行う。
【００４３】
図８において、識別カード４２は、セキュアなコンテンツを視聴するための復号鍵を含む。また、ホームサーバ認証部４３は、識別カード４２から復号鍵を取得して一時的に保持する。更に、上記認証パスワードを記憶し、認証パスワードを用いてモバイルＡＶ装置６との間にセキュアな通信を確立する処理を行う。
【００４４】
以下、図９〜図１０を用いて、本発明の第４の実施形態にかかる遠隔録画処理を説明する。ここでは、説明を具体的にするため、モバイルＡＶ装置６は、第１の実施形態と同様テレビ視聴ができる携帯電話であるとする。また、ホームサーバ装置７には識別カード４２が挿入され、復号鍵がホームサーバ認証部４３に保持されている状態（すなわちホームサーバ装置７でセキュアなコンテンツを視聴可能な状態）にあるものとする。また、認証パスワードとして、事前に同じ文字列のパスワードが設定され、モバイル認証部４１およびホームサーバ認証部４３のそれぞれに記憶されているものとする。また、ホームサーバ装置７のＩＰアドレスも、アドレス記憶部２５に設定されているものとする。
【００４５】
まず、モバイルＡＶ装置６でセキュアなコンテンツを視聴する動作について説明する。図９は、第４の実施形態にかかるモバイルＡＶ装置６およびホームサーバ装置７で行われるセキュアなコンテンツ視聴処理を示すフローチャートである。利用者は、まず、セキュアなコンテンツを視聴するために、モバイルＡＶ装置６の操作部（図示せず）から、例えばＢＳデジタル放送切り替えボタンを押す等の指示操作を行う。ここでは、当該ボタンを押すことにより、表示部２６の画面が携帯電話の画面からＢＳデジタル放送を視聴するための画面へと切り替わるものとする。そして、モバイル制御部２４は、当該指示操作を受けて、事前に設定されている認証パスワードをモバイル認証部４１から取得する（ステップＳ１１）。
【００４６】
認証パスワードを取得した後、モバイル制御部２４は、当該認証パスワードおよび復号鍵を取得する旨の要求を含む復号鍵取得要求を生成する（ステップＳ１２）。次に、モバイル制御部２４は、送信先となるホームサーバ装置７のＩＰアドレスをアドレス記憶部２５より取得する。そして、モバイル制御部２４は、送信先ＩＰアドレスを指定して、復号鍵取得要求をモバイル通信部２１に出力する。モバイル通信部２１は、インターネットに接続し、指定されたＩＰアドレス宛て（すなわち、ホームサーバ装置７）に当該復号鍵取得要求を送信する（ステップＳ１３）。なお、当該送信時にモバイル通信部２１は、自己のＩＰアドレス（ホームサーバ装置７が返信先とするアドレス）も送信データに含めている。
【００４７】
復号鍵取得要求を受信したホームサーバ通信部３１は、当該要求に含まれる認証パスワードをホームサーバ認証部４３に渡す。ホームサーバ認証部４３は、受け取った認証パスワードと、自己の記憶している認証パスワードとが一致するか否かを判断する（ステップＳ１４）。当該判断の結果、パスワードが不一致であれば、ホームサーバ認証部４３は、その旨をモバイルＡＶ装置６に返信する。不一致の旨を受けたモバイルＡＶ装置６は、その旨を表示部２６に表示し、利用者に認証パスワードの再入力等を促す。一方、パスワードが一致すれば、ホームサーバ認証部４３は、例えば、モバイル認証部４１とネゴシエーションを行い、ＳＳＬ暗号化通信等の、モバイルＡＶ装置６との間で通信されるデータが自動的に暗号化されるようなセキュアな通信を確立する（ステップＳ１５）。セキュアな通信が確立できれば、ホームサーバ制御部３３は、ホームサーバ認証部４３に保持されている復号鍵を取得し、モバイルＡＶ装置６へ送信する（ステップＳ１６）。なお、復号鍵を送信した後のホームサーバ装置７は、セキュアなコンテンツを視聴できない状態となる。
【００４８】
モバイルＡＶ装置６は、復号鍵を受信すると、モバイル認証部４１に格納する（ステップＳ１７）。そして、モバイル通信部２１は、ホームサーバ装置７との間のセキュアな通信を切断する。次に、モバイル制御部２４は、セキュアなコンテンツが受信可能になった旨を表示部２６に表示することで利用者に通知する。利用者は、当該通知を確認してからモバイルＡＶ装置６の操作部（図示せず）を用いて視聴したいチャンネルを指定する。
【００４９】
次に、モバイルチューナ部２２は、放送電波を受信する（ステップＳ１８）。そして、モバイルチューナ部２２は、利用者に指定されたチャンネルの放送電波を復調し、暗号化された番組データを表示部２６へ出力する。表示部２６は、モバイル認証部４１に格納されている復号鍵を用いて暗号化された番組データを復号する（ステップＳ１９）。そして、表示部２６は、当該番組データを表示する（ステップＳ２０）。その結果、利用者は、セキュアなコンテンツ（番組）をモバイルＡＶ装置６で視聴できる。
【００５０】
続いて、上述のようにしてセキュアなコンテンツを視聴している場合における遠隔録画処理について説明する。まず、モバイルチューナ部２２は、上述のようにセキュアなコンテンツの放送電波を受信し復調する。このとき、第１の実施形態と同様に当該セキュアなコンテンツの番組関連情報も取得している。そして、電波強度検知部２３は、第１の実施形態と同様にモバイルチューナ部２２が受信している放送電波の強度を一定時間間隔で検知する。そして、放送電波を十分な強度で確保できているか否かを判定する。この判定の結果、放送電波の強度が不十分である場合、電波強度検知部２３は、その旨をモバイル制御部２４へ通知する。
【００５１】
図１０は、放送電波の強度が不十分である場合における、第４の実施形態にかかるモバイルＡＶ装置６およびホームサーバ装置７で行われる遠隔録画処理を示すフローチャートである。まず、放送電波の強度が不十分である旨の通知を電波強度検知部２３から受けたモバイル制御部２４は、上述した第１の実施形態と同様に番組特定情報、例えば番組のタイトルを取得する（ステップＳ２１）。更に、モバイル制御部２４は、モバイル認証部４１から認証パスワードを取得する（ステップＳ２２）。次に、モバイル制御部２４は、通信確立指示を作成する（ステップＳ２３）。当該通信確立指示は、セキュアな通信の確立要求と、認証パスワードを含むものである。
【００５２】
次に、モバイル制御部２４は、送信先となるホームサーバ装置７のＩＰアドレスをアドレス記憶部２５より取得する。そして、モバイル制御部２４は、上記通信確立指示および送信先となるホームサーバ装置７のＩＰアドレスをモバイル通信部２１に出力する。モバイル通信部２１は、モバイル制御部２４から受け取ったＩＰアドレス宛て（すなわち、ホームサーバ装置７宛て）に、上記通信確立指示を送信する（ステップＳ２４）。
【００５３】
通信確立指示を受信したホームサーバ通信部３１は、当該通信確立指示に含まれている認証パスワードをホームサーバ認証部４３に渡す。ホームサーバ認証部４３は、受け取った認証パスワードと、自己の記憶している認証パスワードとが一致するか否かを判断する（ステップＳ２５）。そして、上述した復号鍵の送受信のときと同様に、セキュアな通信をモバイルＡＶ装置６との間に確立する（ステップＳ２６）。
【００５４】
セキュアな通信が確立すれば、モバイル制御部２４は、認証録画指示の作成を行う（ステップＳ２７）。このステップＳ２７の処理をより具体的に説明すると、まず、モバイル制御部２４は、モバイル認証部４１から復号鍵を取得する。次に、ステップＳ２１で取得した番組特定情報と当該番組を録画させる旨の指示である録画指示と復号鍵とを含む認証録画指示を作成する。そして、モバイル制御部２４は、認証録画指示および送信先となるホームサーバ装置７のＩＰアドレスをモバイル通信部２１に出力する。
【００５５】
次に、モバイル通信部２１は、モバイル制御部２４から受け取ったＩＰアドレス宛てに上記認証録画指示を送信する（ステップＳ２８）。
【００５６】
認証録画指示を受信したホームサーバ通信部３１は、当該指示に含まれる復号鍵をホームサーバ認証部４３に格納する（ステップＳ２９）。すなわち、ホームサーバ装置７でセキュアなコンテンツが視聴可能な状態となる。
【００５７】
次に、ホームサーバ通信部３１は、受信した認証録画指示に含まれる番組特定情報をホームサーバ制御部３３へ出力する。ホームサーバ制御部３３は、当該番組特定情報から予約対象となる番組およびそのチャンネルを番組関連情報（例えば、ＥＰＧ）を利用して特定する。更に、同じく番組関連情報を利用して、ホームサーバ制御部３３は、当該番組の終了時刻も特定する。そして、ホームサーバ制御部３３は、番組終了時刻を録画終了時刻として予約設定し、録画部３４へ上記特定したチャンネル（番組）の録画を開始する旨の指示を出す（ステップＳ３０）。
【００５８】
録画部３４は、上記録画開始の指示を受け取ると、ホームサーバチューナ部３２へ指定されたチャンネルの復調指示を出す。ホームサーバチューナ部３２は、当該復調指示を受け、指定チャンネルの放送データを復調し、番組データを録画部３４へ出力する。そして、録画部３４は、ホームサーバチューナ部３２から出力される番組データの記録を開始する（ステップＳ３１）。その後、録画終了時刻がくれば、録画部３４は、ステップＳ３１で開始した番組データの記録を終了する（ステップＳ３２）。以上で、第４の実施形態に係る遠隔録画処理は終了する。
【００５９】
このように、第４の実施形態によれば、１枚の識別カードの復号鍵をセキュアなネットワークを経由して送受信することで共有できる。そのため、ホームサーバ装置とモバイルＡＶ装置とでそれぞれ識別カードを準備せずとも、識別カードを１枚準備するだけで、セキュアなコンテンツの視聴および録画を行うことができる。
【００６０】
なお、本実施の形態では、電波強度検知部２３の電波状況の判断結果に基づき、認証録画指示の生成を行っているが、第１の実施形態と同様に、録画状況検知部２８の録画状況の判断結果によって、認証録画指示を生成してもよい。
【００６１】
また、上記復号鍵がモバイルＡＶ装置６上に存在している場合における復号鍵のホームサーバ装置７への返却については、セキュアなコンテンツを視聴し終わった利用者が、返却操作をモバイルＡＶ装置６上で行うことでホームサーバ装置７に送信してもよいし、ホームサーバ装置７からモバイルＡＶ装置６に返却要求指示を送信してもよい。利用者がモバイルＡＶ装置６上で復号鍵の返却操作を行う場合は、当該返却操作を受けたモバイル制御部２４が、上述したセキュアなコンテンツの視聴処理における利用者からの視聴指示を受けた場合と同様に、認証パスワードとホームサーバ装置７のＩＰアドレスを取得すればよい。そして、上述したのと同様（ステップＳ１３〜Ｓ１５）にセキュアな通信を確立してからホームサーバ装置７に復号鍵を送信すればよい。そして、当該復号鍵を受信したホームサーバ装置７は、その復号鍵をホームサーバ認証部４３に格納すればよい。また、ホームサーバ装置７から返却要求指示を行う場合は、例えば、モバイルＡＶ装置６のアドレスを記憶あるいは事前に設定しておき、当該アドレス宛てに復号鍵の返却要求の旨を含む返却要求指示を送信すればよい。そして、返却要求指示を受けたモバイルＡＶ装置６は、上述の利用者が返却操作を行った場合と同様にセキュアな通信を確立してから、復号鍵をホームサーバ装置７に送信すればよい。
【産業上の利用可能性】
【００６２】
本発明にかかる遠隔録画システムは、利用者に特別の録画設定操作を行わせることなく、モバイルＡＶ装置の電波受信状態等に連動して自宅のホームサーバ装置に録画の指示を出すことができ、携帯端末からの遠隔録画等の用途に有用である。
【図面の簡単な説明】
【００６３】
【図１】本発明の第１の実施形態に係る遠隔録画システムの構成図
【図２】本発明の第１の実施形態に係るモバイルＡＶ装置の構成図
【図３】本発明の第１の実施形態に係るホームサーバ装置の構成図
【図４】第１の実施形態にかかるモバイルＡＶ装置およびホームサーバ装置で行われる遠隔録画処理を示すフローチャート
【図５】本発明の第２の実施形態に係るモバイルＡＶ装置の構成を示すブロック図
【図６】本発明の第３の実施形態に係るモバイルＡＶ装置の構成を示すブロック図
【図７】本発明の第４の実施形態に係るモバイルＡＶ装置の構成を示すブロック図
【図８】本発明の第４の実施形態に係るホームサーバ装置の構成を示すブロック図
【図９】第４の実施形態にかかるモバイルＡＶ装置およびホームサーバ装置で行われる視聴処理を示すフローチャート
【図１０】第４の実施形態にかかるモバイルＡＶ装置およびホームサーバ装置で行われる遠隔録画処理を示すフローチャート
【符号の説明】
【００６４】
１  ネットワーク
２、４、５、６  モバイルＡＶ装置
３、７  ホームサーバ装置
２１  モバイル通信部
２２  モバイルチューナ部
２３  電波強度検知部
２４  モバイル制御部
２５  アドレス記憶部
２６  表示部
２７  モバイル録画部
２８  録画状況検知部
２９  電池残量検知部
３１  ホームサーバ通信部
３２  ホームサーバチューナ部
３３  ホームサーバ制御部
３４  録画部
３５  記録部
４１  モバイル認証部
４２  識別カード
４３  ホームサーバ認証部
【図１】
2006074385.tif 000003
【図２】
2006074385.tif 000004
【図３】
2006074385.tif 000005
【図４】
2006074385.tif 000006
【図５】
2006074385.tif 000007
【図６】
2006074385.tif 000008
【図７】
2006074385.tif 000009
【図８】
2006074385.tif 000010
【図９】
2006074385.tif 000011
【図１０】
2006074385.tif 000012